(57)【要約】【課題】省スペースでかつ設備コストを抑えながら、出来本束への付録束載せ作業を一人の作業者で行えるようにした付録束供給装置を提供する。【解決手段】搬送コンベア１に対して直角に合流する移送コンベア２を有しており、移送コンベア２の入口側には、複数段段積みされた付録束Ｆから最下段の付録束Ｆを切り離す段バラシ部３が設けられ、最下段から２段目以上の付録束Ｆを持ち上げることで最下段の付録束Ｆを切り離して移送コンベア２によって前進させるようになっており、移送コンベア２の出口側の外側には、移送コンベア２からの付録束Ｆを受け取る可動板４が設置されており、段バラシ部３から移送コンベア２によって可動板４上に供給された付録束Ｆを可動板４を引き抜く動作により出来本束Ｂの上に移載する。【選択図】図１
2010076891.tif 000002
【特許請求の範囲】
【請求項１】
搬送コンベアで流れる出来本束の上に付録束を載せる装置であって、搬送コンベアに対して直角に合流する移送コンベアを有しており、移送コンベアの入口側には、複数段段積みされた付録束から最下段の付録束を切り離す段バラシ部が設けられ、最下段から２段目以上の付録束を持ち上げることで最下段の付録束を切り離して移送コンベアによって前進させるようになっており、移送コンベアの出口側の外側には、移送コンベアからの付録束を受け取る可動板が設置されており、段バラシ部から移送コンベアによって可動板上に供給された付録束を可動板を引き抜く動作により出来本束の上に移載するようになっていることを特徴とする付録束供給装置。
【請求項２】
最下段の付録束が段バラシ部から搬出された後、２段目の付録束の把持を外して移送コンベアの上へ付録束を載置し、新たに最下段より２段目となった付録束を把持して持ち上げ、最下段の付録束と切り離す動作を繰り返し行うようになっていることを特徴とする請求項１に記載の付録束供給装置。
【発明の詳細な説明】
【技術分野】
【０００１】
本発明は、製本工程の技術分野に属し、詳しくは、結束された付録束を出来本束の上に載せる際に使用される付録束供給装置に関するものである。
【背景技術】
【０００２】
一般に、製本工程の最終段階では、出来上がった本（出来本）をコンベア上で１０冊程度重ね、これを結束した状態としてからパレットに載せて搬送するようにしている。そして、付録付きの雑誌などの場合、搬送コンベアで流れる結束前の出来本束の上に本の冊数に合わせて、紙や紐で結束された付録束を載せる場合がある。この出来本束の上に付録束を載せる工程は、搬送コンベアの脇に人が立ってパレットから付録束を人手で１束ずつ出来本束の上に供給しているのが現状である。
【０００３】
しかしながら、この人手によるやり方は、単純作業の割合が高い上に、製本ラインの速度に合わせて作業を行うため、作業者の労働負荷が大きく、しかも、作業人員としてはデパレタイズ作業者と出来本束への供給作業者の２名が必要である。
【０００４】
そこで、出来本束への付録束の載置を自動的に行う機構として、出来本束の搬送方向に平行かつ同速度で付録束を搬送しつつ、プッシャー等の移載手段にて出来本束の上に付録束を移載することが考えられる。また、パレットに段積みされた付録束を段バラシする手段として、実開平５−４４９２８号公報に示されるような段バラシ装置を使用する方法が考えられる。
【０００５】
【特許文献１】特公平２−３６３０３号公報
【発明の開示】
【発明が解決しようとする課題】
【０００６】
上記した方法のうち、付録束を搬送しつつプッシャー等の移載手段にて出来本束の上に付録束を移載する機構では、付録束の搬送距離が長くなるため、設備的にも広いスペースが必要になり、コスト的にも高いものになってしまう。また、引用文献１に記載のような段バラシ装置を利用しようとすると、付録束の間には爪を挿入する隙間のないことが大半であるため、下から２段目以上の束を持ち上げることができず、最下段の付録束と切り離せないという問題がある。
【０００７】
本発明は、このような事情に鑑みてなされたものであり、その目的とするところは、省スペースでかつ設備コストを抑えながら、出来本束への付録束載せ作業を一人の作業者で行えるようにした付録束供給装置を提供することにある。
【課題を解決するための手段】
【０００８】
上記の目的を達成するため、本発明の付録束供給装置は、搬送コンベアで流れる出来本束の上に付録束を載せる装置であって、搬送コンベアに対して直角に合流する移送コンベアを有しており、移送コンベアの入口側には、複数段段積みされた付録束から最下段の付録束を切り離す段バラシ部が設けられ、最下段から２段目以上の付録束を持ち上げることで最下段の付録束を切り離して移送コンベアによって前進させるようになっており、移送コンベアの出口側の外側には、移送コンベアからの付録束を受け取る可動板が設置されており、段バラシ部から移送コンベアによって可動板上に供給された付録束を可動板を引き抜く動作により出来本束の上に移載するようになっていることを特徴としている。
【発明の効果】
【０００９】
本発明によれば、出来本束の搬送コンベアに対して直角に合流する移送コンベアの入口側に設けた段バラシ部に付録束を投入するだけで、その移送コンベアにより付録束が一つずつ供給され順次出来本束の上に載せられるので、省スペースかつ簡易な機構で付録束を出来本束へ自動で供給して載置することができ、これによって設備コストを抑えながら、現状２名で行われている付録束供給作業を一人の作業者で行うことができる。
【発明を実施するための最良の形態】
【００１０】
以下、本発明の実施形態について詳細に説明する。
【００１１】
図１は本発明に係る付録束供給装置の一例を示す概略構成図であり、図中１は製本ラインの最終段階にある搬送コンベアで、紙面に垂直な方向に走行しており、出来本を１０冊程度重ねて結束した束（出来本束Ｂ）の状態で順次搬送している。
【００１２】
付録束供給装置は、図示のように、搬送コンベア１に対して直角に合流する移送コンベア２を有しており、移送コンベア２の入口側には、複数段段積みされた付録束Ｆから最下段の付録束Ｆを切り離す段バラシ部３が設けられており、移送コンベア２の出口側の外側には、移送コンベア２からの付録束Ｆを受け取る可動板４が設置されている。
【００１３】
付録束Ｆは別の製本工程で作成され、パレットに所定数が積載された状態で、この付録束供給装置に隣接する所まで運ばれてくる。そして、パレットに積載された付録束Ｆは、デパレタイズ作業者の手作業によって先ず段バラシ部３へ投入される。この段バラシ部３は、複数段段積みされた付録束Ｆから最下段の付録束Ｆを切り離すように、すなわち、最下段から２段目以上の付録束Ｆを持ち上げることで最下段の付録束Ｆを切り離して移送コンベア２によって前進させるようになっている。
【００１４】
図２に段バラシ部３の具体例を示してある。同図に示すように、移送コンベア２の両サイドに２本ずつの縦枠材３１が立設され、それらの縦枠材３１を跨ぐようにして横部材３２が取り付けられている。これら４本の縦枠材３１で囲まれる空間に付録束Ｆを投入するために、一方のサイドには横部材を取り付けていない。そして、移送コンベア２の進行方向の前後に位置する横部材３２にそれぞれ一対ずつの上下動用シリンダ３３が取り付けられており、前側の上下動シリンダ３３の下端には受け板３４が取り付けられ、後側の上下動シリンダ３３の下端には一対のクランプ用シリンダ３５が取り付けられている。
【００１５】
この機構により、移送コンベア２上に投入された段積み付録束Ｆにおける最下段より２段目の付録束Ｆを把持し、その把持した部分より上の付録束Ｆを持ち上げて最下段の付録束Ｆと切り離すことができる。このようにして切り離された最下段の付録束Ｆは、移送コンベア２によってその出口側へと搬送される。最下段の付録束Ｆが段バラシ部３から搬出された後、２段目の付録束Ｆの把持を外して移送コンベア２の上へ付録束Ｆを載置し、新たに最下段より２段目となった付録束Ｆを把持して持ち上げ、最下段の付録束Ｆと切り離す。この動作を繰り返し行って段バラシを行う。
【００１６】
移送コンベア２によってその出口側まで搬送された付録束Ｆは、移送コンベア２からそのまま可動板４の上に供給される。可動板４は、製本ラインの搬送コンベア１の上方、すなわち出来本束Ｂの通過位置上方に出入りが自在なように設置されており、付録束Ｆはこの可動板４が出来本束Ｂの通過タイミングに合わせて引き抜かれると、ストッパー５で動きが阻止されることで、可動板４から出来本束Ｂの上に移載される。そして、付録束Ｆを移載した後の可動板４は、付録束Ｆの載った出来本束Ｂが搬送コンベア１で先へと運ばれた後、再び搬送コンベア１の上方へ戻り、付録束供給可能状態となる。
【００１７】
以上、本発明の実施形態について詳細に説明してきたが、本発明による付録束供給装置は、上記実施の形態に何ら限定されるものではなく、本発明の趣旨を逸脱しない範囲において種々の変更が可能であることは当然のことである。
【図面の簡単な説明】
【００１８】
【図１】本発明に係る付録束供給装置の一例を示す概略構成図である。
【図２】段バラシ部の具体例を示す斜視図である。
【符号の説明】
【００１９】
Ｂ  出来本束
Ｆ  付録束
１  搬送コンベア
２  移送コンベア
３  段バラシ部
３１  縦枠材
３２  横枠材
３３  上下動シリンダ
３４  受け板
３５  クランプ用シリンダ
４  可動板
５  ストッパー
【図１】
2010076891.tif 000003
【図２】
2010076891.tif 000004